(57)【要約】【課題】  様々な設置環境や用途に適応可能なスクリーンスタンドを提供する。【解決手段】  縦フレーム１２ａ，１２ｂ及び横フレーム１４ａ，１４ｂの背面に形成された収容凹部Ｓの四隅に固着された面ファスナーＦ１と、スクリーン１８が貼着されたスクリーン固定枠１６の外側の四隅に固着された面ファスナーＦ２との咬合によって、スクリーン固定枠１６を収容凹部Ｓに交換可能に取り付ける。【選択図】      図２
2006292908.tif 000002
【特許請求の範囲】
【請求項１】
プロジェクタから投写される画像を反射鏡に反射させてスクリーンに投影させるリアプロジェクション方式のスクリーンスタンドであって、
本体フレームと、
前記本体フレームにスクリーンを着脱自在に固定させるスクリーン固定部と、
前記本体フレームに取り付けられた反射鏡と、
前記本体フレームに取り付けられ、プロジェクタを載置可能なプロジェクタ台と
を備え、
前記スクリーン固定部は、二種類以上のスクリーンを交換可能に形成されていることを特徴とするスクリーンスタンド。
【請求項２】
プロジェクタから投写される画像を反射鏡に反射させてスクリーンに投影させるリアプロジェクション方式のスクリーンスタンドであって、
本体フレームと、
前記本体フレームにスクリーンを着脱自在に固定させるスクリーン固定部と、
前記本体フレームに取り付けられた反射鏡と、
前記本体フレームに取り付けられ、プロジェクタを載置可能なプロジェクタ台と
を備え、
前記スクリーン固定部に、フロントプロジェクション用のスクリーンを取り付けることでフロントプロジェクション方式のスクリーンスタンドとしても使用できるようにしたことを特徴とするスクリーンスタンド。
【請求項３】
請求項１又は２に記載のスクリーンスタンドにおいて、
前記スクリーン固定部には、スクリーンを着脱可能にするための取付手段が設けられていることを特徴とするスクリーンスタンド。
【請求項４】
請求項１〜３のいずれか１項に記載のスクリーンスタンドにおいて、
前記本体フレームの前記スクリーン固定部以外の箇所に、不使用のスクリーンを収容するスクリーン収容部をさらに設けたことを特徴とするスクリーンスタンド。
【請求項５】
請求項４に記載のスクリーンスタンドにおいて、
前記スクリーン収容部は、前記スクリーン固定部の下部に設けられており、収容されたスクリーンを同スクリーン固定部方向にスライドさせて固定させることを特徴とするスクリーンスタンド。
【請求項６】
請求項１〜５のいずれか１項に記載のスクリーンスタンドにおいて、
前記スクリーン固定部は、スクリーンを固定した際に同スクリーンが本体フレームの中に収容されるように、前記本体フレームに設けられた凹部であることを特徴とするスクリーンスタンド。
【請求項７】
請求項１〜６のいずれか１項に記載のスクリーンスタンドにおいて、
前記スクリーン固定部とスクリーンとは互いに咬合する面ファスナーにより着脱可能に取り付けられることを特徴とするスクリーンスタンド。
【請求項８】
請求項１〜６のいずれか１項に記載のスクリーンスタンドにおいて、
前記スクリーン固定部とスクリーンとは互いに係合する鉤フックにより着脱可能に取り付けられることを特徴とするスクリーンスタンド。
【請求項９】
請求項１〜８のいずれか１項に記載のスクリーンスタンドにおいて、
前記スクリーン固定部は、前記本体フレームの前記反射鏡と対向する面に設けられていることを特徴とするスクリーンスタンド。
【請求項１０】
請求項１〜８のいずれか１項に記載のスクリーンスタンドにおいて、
前記スクリーン固定部は、前記本体フレームの前記反射鏡と対向する面の反対側の面に設けられていることを特徴とするスクリーンスタンド。
【発明の詳細な説明】
【技術分野】
【０００１】
本発明は、プロジェクタから投写された画像を投影するスクリーンを支持するスクリーンスタンドに関する。
【背景技術】
【０００２】
近年、製品を販売するための営業や、セミナー・講演等で行うプレゼンテーションの際、プロジェクタを使用する機会が増加している。プレゼンテーションの際は、予め作成した画像や動画、コンピュータの画面等をプロジェクタを介してスクリーンに投影し、その投影された画面を聴衆に観察させる。このようなプレゼンテーションを様々な場所で行う場合に、営業マンや講演者は、プロジェクタとスクリーンを移動用の車両に搭載して持参することがある。ここで、プレゼンテーションを行う場所によっては、例えば室内が明るすぎたり暗すぎたりすることもあるため、より印象のよいプレゼンテーションを行うには、設置環境（設置場所）に応じたスクリーンを使用することが望ましい。
【０００３】
また、スクリーンにプロジェクタの映像を投写する方式としては、スクリーンから所定距離をおいて映像を拡大させて投写させるフロントプロジェクション方式と、プロジェクタの映像を反射鏡で反射させて背面から投写させるリアプロジェクション方式とがある。これら両方式にふさわしいスクリーンはそれぞれ異なるため、どちらにも対応できる汎用性の高いスクリーンスタンドが望まれている。
【０００４】
さらに、最近では、プレゼンテーションの目的以外にもプロジェクタとスクリーンを使用することがあり、例えば店舗や飲食店のディスプレイとして使用されることもある。このようなディスプレイ用には、通常と異なる視覚効果を有するスクリーンが使用されることがあるため、このような用途にも対応できる汎用性の高いスクリーンスタンドが望まれている。
【０００５】
これに対して、スクリーンの位置及びサイズを変更可能なプロジェクションテレビが知られている（例えば、特許文献１）。このプロジェクションテレビは、ケースと、ケースの下部に備えられ画像を投写する投写管と、投写管の前面に配設され画像を拡大する投写レンズと、拡大された画像を反射するリフレックスミラーと、ケースの上前面に配設した本体スクリーンと、外部スクリーンとから構成されている。そしてこのプロジェクションテレビでは、少人数で観察する際には本体スクリーンに投写し、大人数で観察する際には本体スクリーンを備えつけの工具等でケースから取り外し、所望位置にセットされた外部スクリーンに投写する。
【特許文献１】特開平３−１６７３号公報
【発明の開示】
【発明が解決しようとする課題】
【０００６】
しかしながら、特許文献１に記載のプロジェクションテレビでは、観察者の人数に応じて、本体スクリーンと外部スクリーンとの切り換えをするものにすぎない。従って、上述のような設置環境に応じたスクリーンの選択を目的としたものではない。また、同プロジェクションテレビで、フロント・リアプロジェクション方式の切替や、様々な用途に対応できるスクリーンを提供するという汎用性を有していない。
【０００７】
本発明の目的は、様々な設置環境や用途に適応可能なスクリーンスタンドを提供することにある。
【課題を解決するための手段】
【０００８】
上記問題点を解決するために、本発明のスクリーンスタンドは、プロジェクタから投写される画像を反射鏡に反射させてスクリーンに投影させるリアプロジェクション方式のスクリーンスタンドであって、本体フレームと、前記本体フレームにスクリーンを着脱自在に固定させるスクリーン固定部と、前記本体フレームに取り付けられた反射鏡と、前記本体フレームに取り付けられ、プロジェクタを載置可能なプロジェクタ台とを備え、前記スクリーン固定部は、二種類以上のスクリーンを交換可能に形成されている。
【０００９】
この発明によれば、スクリーン固定部は、二種類以上のスクリーンを交換可能に形成されているので、設置環境や用途に応じてスクリーンを交換することができることから、スクリーンスタンドが様々な設置環境や用途に適応することができる。
【００１０】
本発明のスクリーンスタンドは、プロジェクタから投写される画像を反射鏡に反射させてスクリーンに投影させるリアプロジェクション方式のスクリーンスタンドであって、本体フレームと、前記本体フレームにスクリーンを着脱自在に固定させるスクリーン固定部と、前記本体フレームに取り付けられた反射鏡と、前記本体フレームに取り付けられ、プロジェクタを載置可能なプロジェクタ台とを備え、前記スクリーン固定部に、フロントプロジェクション用のスクリーンを取り付けることでフロントプロジェクション方式のスクリーンスタンドとしても使用できるようにした。
【００１１】
この発明によれば、スクリーンを交換することでフロントプロジェクション方式、リアプロジェクション方式の両方に対応可能であるため、スクリーンスタンドが様々な設置環境や用途に適応することができる。
【００１２】
本発明に記載のスクリーンスタンドにおいて、前記スクリーン固定部には、スクリーンを着脱可能にするための取付手段が設けられている。この発明によれば、取付手段によって容易にスクリーンを交換することができる。
【００１３】
本発明に記載のスクリーンスタンドにおいて、前記本体フレームの前記スクリーン固定部以外の箇所に、不使用のスクリーンを収容するスクリーン収容部をさらに設けた。この発明によれば、本体フレームのスクリーン固定部以外の箇所に、不使用のスクリーンを収容するスクリーン収容部をさらに設けた。このため、別途、不使用のスクリーンを収容する収容場所を確保し、スクリーンの交換の際に、その収容場所からスクリーンを持ち運ぶ必要がない。従って、不使用のスクリーンをコンパクトに収容しながらも、スクリーンの交換に要する手間を低減することができる。
【００１４】
本発明に記載のスクリーンスタンドにおいて、前記スクリーン収容部は、前記スクリーン固定部の下部に設けられており、収容されたスクリーンを同スクリーン固定部方向にスライドさせて固定させる。
【００１５】
この発明によれば、スクリーン固定部の下部に設けられたスクリーン収容部に収容されたスクリーンをスクリーン固定部方向にスライドさせて固定させることによって、不使用のスクリーンを収容する場所を、別途、確保する必要がない。従って、不使用のスクリーンをコンパクトに収容しながらも、スクリーンの交換に要する手間を低減することができる。
【００１６】
本発明に記載のスクリーンスタンドにおいて、前記スクリーン固定部は、スクリーンを固定した際に同スクリーンが本体フレームの中に収容されるように、前記本体フレームに設けられた凹部である。
【００１７】
この発明によれば、スクリーンは、本体フレームに設けられた凹部によって位置決めされて本体フレームの中に収容されるので、本体フレームに対して曲がることなくスクリーンを設置、交換することができる。この結果、簡単な構成でありながらも、スクリーンスタンドが様々な設置環境や用途に適応することができる。
【００１８】
本発明に記載のスクリーンスタンドにおいて、前記スクリーン固定部とスクリーンとは互いに咬合する面ファスナーにより着脱可能に取り付けられる。この発明によれば、スクリーン交換用の治具が不要であるので、容易にスクリーンを交換することができる。
【００１９】
本発明に記載のスクリーンスタンドにおいて、前記スクリーン固定部とスクリーンとは互いに係合する鉤フックにより着脱可能に取り付けられる。この発明によれば、スクリーン交換用の治具が不要であるので、容易にスクリーンを交換することができる。
【００２０】
本発明に記載のスクリーンスタンドにおいて、前記スクリーン固定部は、前記本体フレームの前記反射鏡と対向する面に設けられている。この発明によれば、スクリーン固定部が本体フレームの前面であってスクリーンの観察者側から見えないため、スクリーンを交換可能でありながらも、観察者のスクリーンに投影される映像の観察を妨げることがない。
【００２１】
本発明に記載のスクリーンスタンドにおいて、前記スクリーン固定部は、前記本体フレームの前記反射鏡と対向する面の反対側の面に設けられている。この発明によれば、本体フレームの前面であって、スクリーンの観察者側からスクリーンを見ながらスクリーンを交換するので、交換したスクリーンをすぐに確認することができることから、効率良くスクリーンを交換することができる。
【発明を実施するための最良の形態】
【００２２】
以下、本発明のスクリーンスタンドを具体化した一実施形態を、図１〜図５に従って説明する。図１は、スクリーンスタンドの斜視図、図２はスクリーンスタンドの要部分解斜視図、図３はスクリーンスタンドの要部側断面図である。
【００２３】
図１に示すように、スクリーンスタンド１０は、左右一対の本体フレームとしてのスクリーンスタンド本体を構成する縦フレーム１２ａ，１２ｂと、上下３本のスクリーンスタンド本体を構成する横フレーム１４ａ，１４ｂ，１４ｃとを備えている。スクリーンスタンド１０は、左右一対の縦フレーム１２ａ，１２ｂが３本の横フレーム１４ａ，１４ｂ，１４ｃを介して連結されてラダー状に形成されている。縦フレーム１２ａ，１２ｂ及び横フレーム１４ａ，１４ｂ，１４ｃは、図２に示すように、それぞれ断面Ｌ字形のアルミアングルであって、スクリーンスタンド１０の背面には、縦フレーム１２ａ，１２ｂと横フレーム１４ａ，１４ｂに囲まれた正方形のスクリーン固定部としての収容凹部Ｓが配設されている。縦フレーム１２ａ，１２ｂと横フレーム１４ａ，１４ｂの背面であってその収容凹部Ｓの四隅には、正方形の取付手段としての面ファスナーＦ１がそれぞれ固着されている。
【００２４】
そして、前記収容凹部Ｓ内には、四角枠状のスクリーン固定枠１６が取り付けられる。図２及び図３に示すように、スクリーン固定枠１６は、断面Ｌ字形の塩化ビニル樹脂で形成された四角枠体であって、それぞれの辺の長さが前記横フレーム１４ａ〜１４ｃより若干短く形成されている。スクリーン固定枠１６の前面には、同スクリーン固定枠１６の前面を覆うようにスクリーン１８が貼着されている。本実施形態では、スクリーン１８は、高視野角タイプであって、外光の影響を受けにくく、明るい場所でも鮮明な画像を実現することができる、所謂グレータイプのスクリーンである。また、このスクリーン固定枠１６の外側の四隅には、面ファスナーＦ２がそれぞれ固着されている。面ファスナーＦ２は
、前記面ファスナーＦ１と同形状であって、前記収容凹部Ｓとスクリーン固定枠１６とが相対向したとき、前記面ファスナーＦ１と面ファスナーＦ２とが相対向するように配設されている。従って、図３に示すように、前記収容凹部Ｓとスクリーン固定枠１６とが相対向したときに、面ファスナーＦ１と面ファスナーＦ２とが、互いに咬合することにより、スクリーン固定枠１６は収容凹部Ｓ（縦フレーム１２ａ，１２ｂ及び横フレーム１４ａ，１４ｂ）に取り付けられる。なお、本実施形態では、このスクリーン１８が貼着されたスクリーン固定枠１６が、請求項１〜８に記載のスクリーンに相当する。
【００２５】
図１に示すように、横フレーム１４ｃの下面には、左右一対の脚部２０ａ，２０ｂが形成されている。脚部２０ａ，２０ｂは、それぞれ金属板で形成されている。脚部２０ａ，２０ｂは、その外形がそれぞれ略長方形の板状であって、それらの長手方向が、それぞれ横フレーム１４ｃと垂直になるように形成されている。この脚部２０ａ，２０ｂによって、スクリーンスタンド１０は床面に設置され、使用されるようになっている。
【００２６】
また、図１及び図４に示すように、横フレーム１４ａの上面には、ミラーフレーム２２が蝶番２４を介して折り畳み可能に取り付けられている。ミラーフレーム２２は、アルミニウム等の金属の板材で形成されている。ミラーフレーム２２は、その幅がスクリーンスタンド１０の幅と同じであって、その長さが前記スクリーン固定枠１６より若干長く形成されている。また、ミラーフレーム２２は、その厚さが横フレーム１４ａの厚さ（奥行き方向の長さ）と同じ厚さに形成されている。ミラーフレーム２２は、その前面（縦フレーム１２ａ，１２ｂ側）にミラーフレーム２２の前面を覆うようにミラーフィルムＭが貼着されている。本実施形態では、ミラーフレーム２２及びミラーフィルムＭで反射鏡を構成する。縦フレーム１２ａ，１２ｂの側面であって、前記収容凹部Ｓの高さの半分程度の位置には固定ピン２６がそれぞれ突設されている。また、ミラーフレーム２２の両側面であって、ミラーフレーム２２を所定の角度、縦フレーム１２ａ，１２ｂから離間させたときに前記固定ピン２６と対向する位置に、固定ピン２８がそれぞれ突設されている。固定ピン２６には、それぞれ板状の固定ステー３０が回動可能に取着されている。固定ステー３０の先端部には、それぞれ切欠き部Ｈ１，Ｈ２，Ｈ３が形成されており、これら切欠き部Ｈ１，Ｈ２，Ｈ３のいずれかを前記固定ピン２８にそれぞれ嵌合させることによって、ミラーフレーム２２と縦フレーム１２ａ，１２ｂとの角度θ１が調整可能になっている。すなわち、切欠き部Ｈ１を固定ピン２８に嵌合させたときには角度θ１が最も小さくなり、切欠き部Ｈ３を固定ピン２８に嵌合させたときには角度θ１が最も大きくなる。
【００２７】
図１及び図５に示すように、前記横フレーム１４ｃの上面中央には、プロジェクタ台３２が蝶番３４を介して折り畳み可能に取着されている。プロジェクタ台３２は、載置台３６及び台脚部３８を備えている。載置台３６は正方形の平面板から形成されており、その厚みは、縦フレーム１２ａ，１２ｂ及び横フレーム１４ａ〜１４ｃとほぼ同じ厚さで形成されている。載置台３６の基端側には、固定板４０が載置台３６に対して垂直に突出形成されている。この固定板４０は、図１に示すように、載置台３６にプロジェクタＰＪを載置したとき、プロジェクタＰＪが載置台３６から滑り落ちるのを防止可能な高さ及び幅で形成されている。また、載置台３６の背面（縦フレーム１２ａ，１２ｂと反対側）には、台脚部３８が蝶番４２を介して折り畳み可能に取り付けられている。台脚部３８は、長方形の平面板から形成されており、その厚みが前記縦フレーム１２ａ，１２ｂとほぼ同じ厚さで形成されている。載置台３６の両側面下部にはそれぞれ固定ピン４４が突設されている。また、台脚部３８の両側面であって、台脚部３８を所定の角度、載置台３６から離間させたときに前記固定ピン４４と対向する位置に、固定ピン４６がそれぞれ突設されている。固定ピン４４には、それぞれ板状の固定ステー４８が回動可能に取着されている。固定ステー４８の先端部には、それぞれ切欠き部Ｈ４，Ｈ５，Ｈ６が形成されており、これら切欠き部Ｈ４，Ｈ５，Ｈ６のいずれかを前記固定ピン４６に嵌合させることによって、載置台３６と台脚部３８との角度θ２が調整可能になっている。すなわち、切欠き部Ｈ４
を固定ピン４６に嵌合させたときには角度θ２が最も小さくなり、切欠き部Ｈ６を固定ピン４６に嵌合させたときには角度θ２が最も大きくなる。
【００２８】
そして、図１に示すように、このプロジェクタ台３２（載置台３６）の上にプロジェクタＰＪを、同プロジェクタＰＪの投写レンズＲが前記ミラーフレーム２２側を向くように載置する。そして、画像情報等が図示しない外部装置からプロジェクタＰＪに入力されると、投写レンズＲからその画像情報等に基づいて映像が投写される。そして、その投写レンズＲから投写された映像は、前記ミラーフィルムＭで反射され、前記スクリーン１８の背面から同スクリーン１８に投影される。つまり、前記ミラーフレーム２２と縦フレーム１２ａ，１２ｂとの角度θ１及び前記プロジェクタ台３２と前記台脚部３８との角度θ２の少なくとも一方を前記映像が同スクリーン１８に収まるように調整することにより、前記画像情報等に基づいた映像がスクリーン１８に投影され、観察者がスクリーン１８前面から映像を観察可能になっている。
【００２９】
次に、上記のように構成されたスクリーンスタンド１０の使用方法について図２及び図３に従って説明する。
まず、図２及び図３に示すように、スクリーンスタンド１０の背面から収容凹部Ｓに、スクリーン１８が縦フレーム１２ａ，１２ｂ及び横フレーム１４ａ，１４ｂ側になるようにスクリーン固定枠１６を配置し、スクリーン固定枠１６と収容凹部Ｓとを重ね合わせる。これによって、収容凹部Ｓの四隅に設けた面ファスナーＦ１とスクリーン固定枠１６の四隅に設けた面ファスナーＦ２とが咬合し、スクリーンスタンド１０（収容凹部Ｓ）にスクリーン１８（スクリーン固定枠１６）が取り付けられ、スクリーン１８の設置作業は終了する。このとき、スクリーン１８はスクリーン固定枠１６に貼着されているので、スクリーン１８が撓んだり、折れ曲がったりすることがない。また、スクリーン固定枠１６は収容凹部Ｓによって位置決めされて縦フレーム１２ａ，１２ｂ及び横フレーム１４ａ，１４ｂに取り付けられるので、縦フレーム１２ａ，１２ｂ及び横フレーム１４ａ，１４ｂに対して曲がることなく取り付けることができる。
【００３０】
次に、スクリーン１８を他の種類のスクリーン１８に交換する場合について説明する。
まず、スクリーン固定枠１６と収容凹部Ｓとの面ファスナーＦ１，Ｆ２による接着に抗してスクリーン固定枠１６を収容凹部Ｓから離間させて、床等の上に置く。続いて、他の種類のスクリーン１８が貼着された新たなスクリーン固定枠１６をスクリーンスタンド１０の背面から収容凹部Ｓに配置し、上述の設置作業と同様の作業を行う。これにより、新たなスクリーン１８（スクリーン固定枠１６）がスクリーンスタンド１０（収容凹部Ｓ）に取り付けられ、スクリーン１８（スクリーン固定枠１６）の交換が完了する。このとき、スクリーン１８はスクリーン固定枠１６に貼着されているので、スクリーン固定枠１６を収容凹部Ｓから取り外し、新たなスクリーン固定枠１６を取り付けるだけの簡単な作業で、スクリーン１８を交換することができる。また、スクリーン固定枠１６の収容凹部Ｓへの取り付けは、面ファスナーＦ１と面ファスナーＦ２との咬合によって行われるため、工具等が不要であることから、容易にスクリーン１８を交換することができる。この結果、例えば、プレゼンテーションを行う場所の環境、スクリーンにプロジェクタの映像を投写する方式等に応じて異なるスクリーン１８を使用することができる。すなわち、スクリーン１８をフロントプロジェクション用のスクリーン１８に交換してプロジェクタＰＪをスクリーンスタンド１０の前面に配置し、同スクリーンスタンド１０の前面から映像を投影することで、スクリーンスタンド１０はフロントプロジェクション方式に対応可能となる。これにより、スクリーンスタンド１０は、フロントプロジェクション方式、リアプロジェクション方式の両方に対応可能となる。また、店舗等のディスプレイとして、定期的に異なるスクリーン１８を使用するときであっても、容易にスクリーン１８を交換することができる。従って、様々な設置環境や用途に適応することができる。
【００３１】
上記実施形態によれば、以下のような効果を得ることができる。
（１）  本実施形態によれば、スクリーン１８を貼着したスクリーン固定枠１６を縦フレーム１２ａ，１２ｂ及び横フレーム１４ａ，１４ｂに対して交換可能に取り付けた。この結果、例えば、プレゼンテーションを行う場所の環境等に応じて異なるスクリーン１８を使用することができる。また、店舗等のディスプレイとして、定期的に異なるスクリーン１８を使用するときであっても、容易にスクリーン１８を交換することができる。従って、スクリーンスタンド１０が様々な設置環境や用途に適応することができる。
【００３２】
（２）  本実施形態によれば、スクリーン１８を貼着したスクリーン固定枠１６を縦フレーム１２ａ，１２ｂ及び横フレーム１４ａ，１４ｂに対して交換可能に取り付けた。この結果、スクリーン１８を交換することでフロントプロジェクション方式、リアプロジェクション方式の両方に対応可能であるため、スクリーンスタンド１０が様々な設置環境や用途に適応することができる。
【００３３】
（３）  本実施形態によれば、スクリーン１８をスクリーン固定枠１６に貼着したので、スクリーン１８が撓んだり、折れ曲がったりすることなく、スクリーン１８を交換することができる。従って、簡単な構成でありながらも、スクリーンスタンド１０が様々な設置環境や用途に適応することができる。
【００３４】
（４）  本実施形態によれば、スクリーン１８を貼着したスクリーン固定枠１６は収容凹部Ｓによって位置決めされて縦フレーム１２ａ，１２ｂ及び横フレーム１４ａ，１４ｂに取り付けられるので、縦フレーム１２ａ，１２ｂ及び横フレーム１４ａ，１４ｂに対して曲がることなくスクリーン１８を設置、交換することができる。従って、簡単な構成でありながらも、スクリーンスタンド１０が様々な設置環境や用途に適応することができる。
【００３５】
（５）  本実施形態によれば、収容凹部Ｓの四隅に固着された面ファスナーＦ１とスクリーン固定枠１６の外側の四隅に固着された面ファスナーＦ２との咬合によって、スクリーン固定枠１６を収容凹部Ｓに取り付けた。この結果、工具等を使用することなく、容易にスクリーン１８（スクリーン固定枠１６）を交換し、新たなスクリーン１８を設置することができる。従って、簡単な構成でありながらも、スクリーンスタンド１０が様々な設置環境や用途に適応することができる。
【００３６】
（６）  本実施形態によれば、スクリーンスタンド１０の背面側からスクリーン１８（スクリーン固定枠１６）を交換した。この結果、スクリーン固定枠１６等のスクリーン１８を取り付ける構造が観察者から見えないので、スクリーン１８を交換可能でありながらも、観察者のスクリーン１８に投影される映像の観察を妨げることがない。
【００３７】
なお、上記実施形態は以下のように変更してもよい。
○上記実施形態では、収容凹部Ｓの四隅に固着された面ファスナーＦ１とスクリーン固定枠１６の外側の四隅に固着された面ファスナーＦ２との咬合によって、スクリーン固定枠１６を収容凹部Ｓに取り付けた。これを、収容凹部Ｓの端縁等に鉤フック等のフック型の留め具を設け、スクリーン固定枠１６のその留め具に対応した位置に留め具に引っかけることのできる掛け止め部材を設け、その掛け止め部材を留め具に引っかけることによって収容凹部Ｓにスクリーン固定枠１６を取り付けてもよい。
【００３８】
○上記実施形態では、スクリーン１８（スクリーン固定枠１６）の交換は、スクリーンスタンド１０の背面側から行った。これを、スクリーンスタンド１０の前面側から行ってもよい。これにより、スクリーン１８を見ながらスクリーン１８を交換することができるので、スクリーン１８を交換した効果を直ちに確認することができることから、効率良く
スクリーン１８を交換することができる。
【００３９】
○上記実施形態では、スクリーン１８は、グレータイプのスクリーンであったが、例えば、スクリーン越しに奥の背景を見ることができる高透明タイプやコントラストを重視した高コントラストタイプのスクリーン、雰囲気を重視した和紙等、用途に応じて異なる種類のスクリーンであってもよい。すなわち、異なる種類のスクリーン１８を用意するに従って、スクリーンスタンド１０の適応可能な設置環境や用途が増加し、一層、スクリーンスタンド１０が様々な設置環境や用途に適応することができる。
【００４０】
○上記実施形態では、スクリーン固定枠１６は取り外し可能であって、適宜スクリーン１８を変更可能とした。このとき、図６に示すように、不使用のスクリーン１８（スクリーン固定枠１６）を収容凹部Ｓの下部であって、縦フレーム１２ａ，１２ｂ及び横フレーム１４ｂ，１４ｃによって形成されたスクリーン収容部としての収容凹部Ｓ１に収容してもよい。また、この収容凹部Ｓ１に収容するスクリーン固定枠１６は、１つに限らず、複数であってもよく、収容するスクリーン固定枠１６に応じて収容凹部Ｓ１の奥行き方向の距離を適宜変更してもよい。これにより、不使用のスクリーン１８を収容する場所を、別途、確保する必要がなく、スクリーン１８をコンパクトに収容することができる。
【００４１】
○上記実施形態では、スクリーン固定枠１６は取り外し可能であって、適宜スクリーン１８を変更可能とした。このとき、図７に示すように、横フレーム１４ｂを設けずに、奥行き方向の長さが上記実施形態の縦フレーム１２ａ，１２ｂ及び横フレーム１４ａ，１４ｃのそれぞれ２倍の長さである縦フレーム５０ａ，５０ｂ及び横フレーム５２ａ，５２ｂを設ける。そして、縦フレーム５０ａ，５０ｂ及び横フレーム５２ａ，５２ｂの内周面に溝部５４，５６を凹設する。また、溝部５４，５６であって、縦フレーム５０ａ，５０ｂの高さの半分程度の位置に、それぞれ図示しない板状の係止部材を縦フレーム５０ａ，５０ｂの内周面に対して折り畳み可能に形成する。すなわち、係止部材を使用するときは、同係止部材を縦フレーム５０ａ，５０ｂの内周面に対してそれぞれ垂直に突設させ（ロック状態）、係止部材を使用しないときは、同係止部材を折り畳み、縦フレーム５０ａ，５０ｂの内周面と平行な状態とする（解除状態）。
【００４２】
そして、スクリーン１８を設置するとき、前記係止部材を解除状態とし、スクリーン固定枠１６を溝部５４（５６）に沿って上方に摺動させる。スクリーン固定枠１６が横フレーム５２ａの内周面に当接したとき、そのスクリーン固定枠１６に対応した係止部材をロック状態にすることで、スクリーン固定枠１６が縦フレーム５０ａ，５０ｂ及び横フレーム５２ａに固定される。一方、スクリーン１８を交換するとき、設置されている方のスクリーン固定枠１６を固定している係止部材を解除状態とし、スクリーン固定枠１６を溝部５４（５６）に沿って下方に、横フレーム５２ｂの内周面に当接するまで摺動させる。すなわち、縦フレーム５０ａ，５０ｂ及び横フレーム５２ａ，５２ｂによってスクリーン収容部が形成される。そして、他方のスクリーン固定枠１６を溝部５４（５６）に沿って上方に摺動させ、横フレーム５２ａの内周面に当接したとき、そのスクリーン固定枠１６に対応した係止部材をロック状態にすることで、スクリーン固定枠１６が縦フレーム５０ａ，５０ｂ及び横フレーム５２ａに固定される。これにより、スクリーン１８の交換に要する手間を低減しながらも、不使用のスクリーン１８（スクリーン固定枠１６）を収容する場所を、別途、確保する必要がなく、スクリーン１８をコンパクトに収容することができる。
【００４３】
○上記実施形態では、スクリーン１８はスクリーン固定枠１６に貼着したが、これを、例えば、スクリーン１８をロールスクリーンとし、横フレーム１４ａに交換可能に取り付けてもよい。これにより、上記実施形態の効果に加えて、不使用のスクリーン１８をコンパクトに収容することができる。
【００４４】
○上記実施形態では、ミラーフレーム２２と縦フレーム１２ａ，１２ｂとの角度θ１を調整可能としたが、これを調整可能とせず、プロジェクタ台３２の載置台３６と台脚部３８との角度θ２の調整のみとしてもよい。
【００４５】
○上記実施形態では、プロジェクタ台３２の載置台３６と台脚部３８との角度θ２を調整可能としたが、これを調整可能とせず、ミラーフレーム２２と縦フレーム１２ａ，１２ｂとの角度θ１の調整のみとしてもよい。
【００４６】
○上記実施形態では、プロジェクタ台３２は、横フレーム１４ｃに折り畳み可能に取り付けられていたが、これを、プロジェクタ台３２を横フレーム１４ｃに取り付けず、別途設置してもよい。
【００４７】
以下に、上記実施形態及び各別例から把握できる技術的思想を付記する。
（付記１）
請求項１〜１０のいずれか１項に記載のスクリーンスタンドにおいて、前記スクリーンはロールスクリーンであることを特徴とするスクリーンスタンド。この発明によれば、容易にスクリーンを交換することができる。
【図面の簡単な説明】
【００４８】
【図１】本実施形態のスクリーンスタンドの斜視図。
【図２】同じく、スクリーンスタンドの要部分解斜視図。
【図３】同じく、スクリーンスタンドの要部側断面図。
【図４】同じく、縦フレーム及びミラーフレームの要部側面図。
【図５】同じく、プロジェクタ台の側面図。
【図６】別例の縦フレーム及び横フレームの背面図。
【図７】別例の縦フレーム及び横フレームの斜視図。
【符号の説明】
【００４９】
１０…スクリーンスタンド、１２ａ，１２ｂ，５０ａ，５０ｂ…縦フレーム、１４ａ，１４ｂ，１４ｃ，５２ａ，５２ｂ…横フレーム、１６…スクリーン固定枠、１８…スクリーン、２０ａ，２０ｂ…脚部、２２…ミラーフレーム、２４，３４，４２…蝶番、２６，２８，４４，４６…固定ピン、３０，４８…固定ステー、３２…プロジェクタ台、３６…載置台、３８…台脚部、５４，５６…溝部、Ｆ１，Ｆ２…面ファスナー、Ｍ…ミラーフィルム、ＰＪ…プロジェクタ、Ｓ，Ｓ１…収容凹部、θ１，θ２…角度。
【図１】
2006292908.tif 000003
【図２】
2006292908.tif 000004
【図３】
2006292908.tif 000005
【図４】
2006292908.tif 000006
【図５】
2006292908.tif 000007
【図６】
2006292908.tif 000008
【図７】
2006292908.tif 000009